(57)【要約】【課題】下階床と中間部屋の天井との間に設けられた階段室以外で、上階と下階が連通した空間を有する建物を提供することを目的とする。【解決手段】下階床１１と、上階床３１と、下階１０にスキップフロアとして設けられた中間床２１を有する建物１００において、前記中間床２１上の中間部屋２０Ａが、前記上階床３１を突き抜け、上階３０の天井３２より低い低天井２２Ａを有し、前記下階床１１と前記中間部屋２０Ａの低天井２２Ａとの間に設けられた階段室以外で、前記中間部屋２０Ａと前記下階１０の部屋とが連通し、前記中間部屋２０Ａと前記上階３０の部屋とが連通している。【選択図】図１
2013019201.tif 000002
【特許請求の範囲】
【請求項１】
下階床と、上階床と、下階にスキップフロアとして設けられた中間床を有する建物において、
前記中間床上の中間部屋が、前記上階床を突き抜け、上階の天井より低い低天井を有し、
前記下階床と前記中間部屋の天井との間に設けられた階段室以外で、前記中間部屋と前記下階の部屋とが連通し、前記中間部屋と前記上階の部屋とが連通している
ことを特徴とする建物。
【請求項２】
請求項１に記載の建物において、
前記上階の部屋と小屋裏とが、前記上階の天井と前記低天井との間の開口を通じて連通している
ことを特徴とする建物。
【請求項３】
請求項１または請求項２に記載の建物において、
前記中間部屋と前記上階の部屋との境界部に、腰壁または手摺が前記上階床に設けられている
ことを特徴とする建物。
【請求項４】
請求項１〜３のいずれか一項に記載の建物において、
前記中間部屋の下に収納空間が設けられ、
前記中間部屋の低天井裏と前記収納空間の少なくとも一方に空調設備が設置されている
ことを特徴とする建物。
【請求項５】
請求項２〜４のいずれか一項に記載の建物において、
前記低天井上の屋根に採光部が設けられている
ことを特徴とする建物。
【発明の詳細な説明】
【技術分野】
【０００１】
本発明は、建物に関する。
【背景技術】
【０００２】
住宅用あるいは事務用の建物においては、物品を収納するための収納区画を確保することが必須である。特に、都市部においては建物が狭小化しており、収納区画の確保のために様々な対応がとられている。例えば、天井裏に上れるような開閉可能な扉および梯子を設け、天井裏を収納区画として利用することがなされている。
特許文献１は、建物全体として複数の収納用床面を有する収納付き建物において、建物全体の各収納用床面が平面視で互いに重ならない状態に配置されていること、および、任意階層に複数の収納用床面を有する収納付き建物において、任意階層の各収納用床面が平面視で互いに重ならない状態に配置されていることを開示する。
また、特許文献２は、下階に中間床が設けられ、この中間床の下に収納空間が設けられ、下階から上階への階段室が設けていることを開示する。
【先行技術文献】
【特許文献】
【０００３】
【特許文献１】特開２００２−１０６１８４号公報
【特許文献２】特開２００４−６０１５７号公報
【発明の概要】
【発明が解決しようとする課題】
【０００４】
ところで、従来の住宅等の建物においては、下階床と中間部屋の天井との間に設けられた階段室以外で、上階と下階等の空間が連通する構造が採用されていなかった（特許文献１、特許文献２参照）。
【０００５】
本発明は、下階床と中間部屋の天井との間に設けられた階段室以外で、上階と下階が連通した空間を有する建物を提供することを目的とする。
【課題を解決するための手段】
【０００６】
上記課題の少なくとも一つを解決するために、請求項１に記載の発明は、例えば、図１、図２に示すように、
下階床１１と、上階床３１と、下階１０にスキップフロアとして設けられた中間床２１を有する建物１００において、
前記中間床２１上の中間部屋２０Ａが、前記上階床３１を突き抜け、上階３０の天井３２より低い低天井２２Ａを有し、
前記下階床１１と前記中間部屋２０Ａの低天井２２Ａとの間に設けられた階段室以外で、前記中間部屋２０Ａと前記下階１０の部屋とが連通し、前記中間部屋２０Ａと前記上階３０の部屋とが連通している
ことを特徴とする。
【０００７】
請求項１に記載の発明によれば、下階床１１と中間部屋２０Ａの低天井２２Ａとの間に設けられた階段室以外で、前記中間部屋２０Ａと前記下階１０の部屋とが連通し、前記中間部屋２０Ａと前記上階３０の部屋とが連通しているので、建物１００において、上階３０から下階１０まで連通した空間を有する建物を提供することができる。したがって、この建物１００では、上階３０と中間部屋２０間における通風および採光、中間部屋２０と下階１０間における通風と採光を良くすることができる。よって、上階３０から下階１０までの通風と採光を良くすることができる。さらに、この建物１００では、上階３０と中間部屋２０間における人のコミュニケーション、中間部屋２０と下階１０間における人のコミュニケーションを容易に図ることができる。
【０００８】
請求項２に記載の発明は、例えば、図１、図２、図４、図５に示すように、
請求項１に記載の建物１００において、
前記上階３０の部屋と小屋裏４０Ａとが、前記上階３０の天井３２と前記低天井２２Ａとの間の開口５０を通じて連通している
ことを特徴とする。
【０００９】
請求項２に記載の発明によれば、前記上階３０の部屋と小屋裏４０Ａとが、前記上階３０の天井３２と前記低天井２２Ａとの間の開口５０を通じて連通しているので、小屋裏４０Ａから下階１０まで連通した空間を有する建物１００を提供することができる。
【００１０】
請求項３に記載の発明は、例えば、図１（ｂ）、図４に示すように、
請求項１または請求項２に記載の建物において、
前記中間部屋２０Ａと前記上階３０の部屋との境界部に、腰壁または手摺３３が前記上階床３１に設けられている
ことを特徴とする。
【００１１】
請求項３に記載の発明によれば、前記中間部屋２０Ａと前記上階３０の部屋との境界部に、腰壁または手摺３３が前記上階床３１に設けられているので、人や物が落下するのを防止できる。
【００１２】
請求項４に記載の発明は、例えば、図２に示すように、
請求項１〜３のいずれか一項に記載の建物において、
前記中間部屋２０Ａの下に収納空間が設けられ、
前記中間部屋２０Ａの低天井２２Ａ裏と前記収納空間の少なくとも一方に空調設備６０ａ、６０ｂが設置されている
ことを特徴とする。
【００１３】
請求項４に記載の発明によれば、前記中間部屋２０Ａの下に収納空間が設けれ、前記中間部屋２０Ａの低天井２２Ａ裏と前記収納空間の少なくとも一方に空調設備６０ａ、６０ｂが設置されているので、全館空調が可能となる。
【００１４】
請求項５に記載の発明は、例えば、図１、図６（ｂ）に示すように、
請求項２〜４のいずれか一項に記載の建物において、
前記低天井２２Ａ上の屋根に採光部７０ａが設けられている
ことを特徴とする。
【００１５】
請求項５に記載の発明によれば、前記低天井２２Ａ上の屋根に採光部７０ａが設けられているので、上記上階３０の天井３２と前記低天井２２Ａとの間の開口５０を通じて、上階３０に光を取り入れることが可能になる。
【発明の効果】
【００１６】
本発明によれば、下階床と中間部屋の天井との間に設けられた階段室以外で、上階と下階が連通した空間を有する建物を提供することができる。
【図面の簡単な説明】
【００１７】
【図１】本発明に係る建物の一例を示す図であり、（ａ）は立面視断面図、（ｂ）は図１（ａ）に腰壁を設けた例を示す図である。
【図２】同、（ａ）は図１（ａ）に空調設備を設けた例を示す図であり、（ｂ）は図２（ａ）に腰壁を設けた例を示す図である。
【図３】同、（ａ）は図１（ａ）のＩ−Ｉ断面図、（ｂ）は図１（ａ）のＩＩ−ＩＩ断面図である。
【図４】同、図３（ｂ）の視線Ａから見たときの立体視である。
【図５】同、図３（ｂ）の視線Ｂから見たときの立体視である。
【図６】同、（ａ）は立面視断面図、（ｂ）は図１（ａ）に採光部を設けた例を示す図である。
【発明を実施するための形態】
【００１８】
＜第１の実施の形態＞
図１〜図３を参照して、下階床１１と、上階床３１と、下階１０にスキップフロアとして設けられた中間床２１を有する建物１００について説明する。本実施の形態において、建物１００には、上階３０から下階１０まで連通する空間を設けるために、立面視において、建物１００の中央に中間床２１上の中間部屋２０Ａが設けられている。これにより、高さ方向において、上階と下階との中間に位置する中間部屋２０を提供でき、変化に富む生活空間を演出し、各階への移動性も高めることができる一方で、吹き抜けとは違う全室と繋がる空間を提供し、空調の一括制御を可能にすることができる。
【００１９】
図３（ａ）に示すように、建物１００の下階１０においては、玄関１０ａ、玄関１０ａから左回りに、和室１０ｂ、天井が０．９ｍ〜１．４ｍ程度の低天井の収納室である蔵１０ｃ、洋室１０ｄ、洋室１０ｅ、浴室１０ｆ、洗面室１０ｇ、トイレ１０ｈが設けられている。また、中間床２１から上階床３１を突き抜けて、中間部屋２０Ａとしてリビング２０ａが設けられている。ここで、図１に示すように、リビング２０ａの低天井２２Ａは上階３０の天井３２より低い。また、前記上階３０の部屋と小屋裏４０Ａとが、前記上階３０の天井３２と前記低天井２２Ａとの間の開口５０を通じて連通している。また、前記低天井２２Ａ上の屋根に天窓等の採光部７０ａが設けられ、前記低天井２２Ａに窓等の採光部７０ｂが設けられている。屋根に天窓等の採光部７０ａを設けることにより、上記上階３０の天井３２と前記低天井２２Ａとの間の開口５０を通じて、上階３０に光を取り入れることが可能になる。また、前記低天井２２Ａに採光部７０ｂを設けることにより、中間部屋２０Ａおよび下階１０に採光部７０ａからの光を取り入れることが可能になる。
【００２０】
また、図３（ｂ）に示すように、建物１００の上階３０においては、メインベットルーム（ＭＢＲ）である洋室３０ａ、洋室３０ａから左回りに、バルコニー３０ｃ付きのダイニングキッチン３０ｂ、サブバルコニー３０ｄ、ユーティリティ３０ｅ、トイレ３０ｆが設けられている。また、下階１０からリビング２０ａと上階３０へアクセスするための階段１５が平面視において建物の中央に設けられている。この階段１５は、直階段であり、階段の途中に踊り場が設けられ、この踊り場は中間床２１と高さが等しい。また、この階段１５には、図５に示すように、格子手摺り１５ａが取付けられている。
【００２１】
ここで、図１（ｂ）、図２（ｂ）、図４に示すように、前記中間部屋２０Ａと前記上階３０の部屋との境界部に腰壁３３が前記上階床３１に設けられ、前記中間部屋２０Ａと前記下階１０の部屋との境界部に腰壁２３が前記中間床２１上に設けられていることが望ましい。また、腰壁２３、３３の代わりに、格子手摺り、ガラス手摺り等の手摺を設けてもよい。手摺りを用いた場合には、腰壁を用いた場合に比べて、上階３０と中間部屋２０との空間的な繋がりや開放感が更に向上する。境界部において、床から天井まで延設する間仕切壁を設けた場合、階段室以外で、上階と下階が連通した空間を提供することは難しい。ただし、間仕切壁に開口が設けられる場合、階段室以外で、上階と下階が連通した空間を提供することが可能である。また、図５に示すように、階段室と上階床３１との境界部の壁８０ｂに開口を設けると、上階３０と中間部屋２０との空間的な繋がりや開放感が更に向上する。
【００２２】
このように、前記中間床２１上の中間部屋２０Ａが、前記上階床３１を突き抜け、上階３０の天井３２より低い低天井２２Ａを有し、前記下階床１１と前記中間部屋２０Ａの低天井２２Ａとの間に設けられた階段室以外で、前記中間部屋２０Ａと前記下階１０の部屋とが連通し、前記中間部屋２０Ａと前記上階３０の部屋とが連通している。低天井２２Ａは、図４に示すように、中間部屋２０の外壁８０ａと、階段室と上階床３１の境界部に設けられた、上階床３１から上階３０の天井３２まで延説された内壁８０ｂ等により支持されている。
【００２３】
また、図２に示すように、前記中間部屋２０Ａの下に収納空間（蔵）が設けられ、前記中間部屋２０Ａの低天井２２Ａ裏と前記収納空間に空調設備６０ａ、６０ｂが設置されていてもよい。前記中間部屋２０Ａの低天井２２Ａ裏と収納空間のそれぞれに空調設備６０ａ、６０ｂを設けたとき、下階１０と上階３０の各々で、温度設定、設定風量等が可能になる。また、上階３０から下階１０まで連通しているため、中間部屋２０Ａに空調設備を設ける必要がない。
【００２４】
本実施の形態によれば、下階床１１と中間部屋２０Ａの低天井２２Ａとの間に設けられた階段室以外で、前記中間部屋２０Ａと前記下階１０の部屋とが連通し、前記中間部屋２０Ａと前記上階３０の部屋とが連通しているので、建物１００において、上階３０から下階１０まで連通した空間を有する建物を提供することができる。
したがって、この建物１００では、上階３０と中間部屋２０間における通風および採光、中間部屋２０と下階１０間における通風と採光を良くすることができる。よって、上階３０から下階１０までの通風と採光を良くすることができる。さらに、この建物１００では、上階３０と中間部屋２０間における人のコミュニケーション、中間部屋２０と下階１０間における人のコミュニケーションを容易に図ることができる。
【００２５】
また、前記上階３０の部屋と小屋裏４０Ａとが、前記上階３０の天井３２と前記低天井２２Ａとの間の開口を通じて連通しているので、小屋裏４０Ａから下階１０まで連通した空間を有する建物１００を提供することができる。
【００２６】
また、前記中間部屋２０Ａと前記上階３０の部屋との境界部に、腰壁または手摺３３が前記上階床３１に設けられているので、人や物が落下するのを防止できる。
【００２７】
また、前記中間部屋２０Ａの下に収納空間が設けれ、前記中間部屋２０Ａの低天井２２Ａ裏と前記収納空間の少なくとも一方に空調設備６０ａ、６０ｂが設置されているので、全館空調が可能となる。
【００２８】
また、前記低天井２２Ａ上の屋根に採光部７０ａが設けられているので、上記上階３０の天井３２と前記低天井２２Ａとの間の開口５０を通じて、上階３０に光を取り入れることが可能になる。
【００２９】
＜第２の実施の形態＞
図６を参照して、下階床１１と、上階床３１と、下階１０にスキップフロアとして設けられた中間床２１を有する建物１００について説明する。
【００３０】
図６（ａ）に示すように、本実施の形態において、建物２００には、立面視において、建物２００の中央に中間床２１上の中間部屋２０Ｂが下階１０と上階３０と壁２４で区切られ設けられている。これにより、高さ方向において、上階と下階との中間に位置する中間部屋２０Ｂを提供でき、変化に富む生活空間を演出し、各階への移動性も高めることができる。壁２４は、中間床２１と上階床３１の境界部に中間床２１上に低天井２２Ｂまで延設して設けられている。また、上階３０と中間部屋２０Ｂを区切る壁２４に窓等の開口を設けてもよい。また、中間部屋２０Ｂと下階１０とを区切る壁２４に窓等の開口を設けてもよい。このような開口を設けることにより、中間部屋２０Ｂと下階１０の部屋とが連通し、前記中間部屋２０Ｂと記上階３０の部屋とが連通しする。したがってこの建物２００では、上階３０と中間部屋２０Ｂ間における通風および採光、中間部屋２０Ｂと下階１０間における通風と採光を良くすることができる。さらに、この建物２００では、上階３０と中間部屋２０Ｂ間における人のコミュニケーション、中間部屋２０Ｂと下階１０間における人のコミュニケーションを容易に図ることができる。
【００３１】
また、図６（ｂ）に示すように、前記低天井２２Ｂ上の屋根に天窓等の採光部７０ａが設けられ、前記低天井２２Ｂに窓等の採光部７０ｂが設けられていてもよい。屋根に天窓等の採光部７０ａを設けることにより、上記上階３０の天井３２と前記低天井２２Ｂとの間の開口５０を通じて、上階３０に光を取り入れることが可能になる。また、前記低天井２２Ｂに採光部７０ｂを設けることにより、中間部屋２０Ｂに採光部７０ａからの光を取り入れることが可能になる。
【００３２】
なお、本実施の形態においては、第１の実施の形態と同じものには同一の符号を付し、説明を省略する。
【符号の説明】
【００３３】
１０   下階
１１   下階床
２０Ａ、２０Ｂ       中間部屋
２１   中間床
２２Ａ、２２Ｂ       低天井
３０   上階
３１   上階床
３２   天井
３３   腰壁
４０Ａ、４０Ｂ       小屋裏
５０   開口
６０ａ，６０ｂ       空調設備
７０ａ、７０ｂ       採光部
１００ 建物
【図１】
2013019201.tif 000003
【図２】
2013019201.tif 000004
【図３】
2013019201.tif 000005
【図４】
2013019201.tif 000006
【図５】
2013019201.tif 000007
【図６】
2013019201.tif 000008